(57)【要約】      （修正有）【課題】線量率分布を簡便に、直感的、聴覚的に把握することが可能な放射線知覚化装置を提供する。【解決手段】環境中の被測定対象物の放射線を検出するシンチレーションファイバーで発生した光信号を電気信号に変換・増幅し、増幅された電気信号を時間分解能向上のために信号波形前処理を行う信号波形前処理装置と、前記信号波形前処理装置からの信号を、スタート信号とストップ信号の時間間隔調整を行うディレイ装置と、前記ディレイ装置からの信号を、時間間隔を出力の大小に変換する入力時間差波高変換が行われる時間波高変換機と、前記時間波高変換機からの出力信号を、信号の強度に応じて分別する多重波高分析器と、前記多重波高分析器からの出力信号を聴覚化する聴覚部とを備えた放射線知覚化装置において、前記聴覚部は、前記シンチレーションファイバーの長手方向と平行な第１方向に配された複数の圧電ブザーからなる。【選択図】図６
2015206780.tif 000002
【特許請求の範囲】
【請求項１】
環境中の被測定対象物の放射線を検出するシンチレーションファイバーと、
前記シンチレーションファイバーで発生した光信号を電気信号に変換・増幅する光電子増倍管と、
前記光電子増倍管からの信号を電気信号に増幅するプリアンプと、
前記プリアンプで増幅された電気信号を時間分解能向上のために信号波形前処理を行う信号波形前処理装置と、
前記信号波形前処理装置からの信号を、スタート信号とストップ信号の時間間隔調整を行うディレイ装置と、
前記ディレイ装置からの信号を、時間間隔を出力の大小に変換する入力時間差波高変換が行われる時間波高変換機と、
前記時間波高変換機からの出力信号を、信号の強度に応じて分別する多重波高分析器と、前記多重波高分析器からの出力信号を聴覚化する聴覚部と、を備えた放射線知覚化装置において、
前記聴覚部は、前記シンチレーションファイバーの長手方向と平行な第１方向に配された複数の発音部からなることを特徴とする放射線知覚化装置。
【請求項２】
検出された放射線の線量率に応じて、前記発音部の音量が制御されることを特徴とする請求項１に記載の放射線知覚化装置。
【請求項３】
検出された放射線の線量率に応じて、前記発音部の周波数が制御されることを特徴とする請求項１に記載の放射線知覚化装置。
【請求項４】
さらに、前記多重波高分析器からの出力信号を可視化する表示部と、を備え、
前記表示部は、前記シンチレーションファイバーの長手方向と平行な第１方向に配された複数の発光部からなることを特徴とする請求項１乃至請求項３のいずれか１項に記載の放射線知覚化装置。
【請求項５】
検出された放射線の線量率に応じて、前記発光部の発光強度が制御されることを特徴とする請求項４に記載の放射線知覚化装置。
【請求項６】
検出された放射線の線量率に応じて、前記発光部の色が制御されることを特徴とする請求項４に記載の放射線知覚化装置。
【請求項７】
前記表示部は、前記シンチレーションファイバーの長手方向と平行な第１方向と、前記長手方向に対して垂直な第２方向とに、マトリクス状に配された複数の発光部からなる請求項４に記載の放射線知覚化装置。
【請求項８】
検出された放射線の位置に応じて、前記第１方向に配された前記発光部を発光させるか否かが制御されることを特徴とする請求項７に記載の放射線知覚化装置。
【請求項９】
検出された放射線の線量率に応じて、前記第２方向に配された前記発光部を発光させるか否かが制御されることを特徴とする請求項７又は請求項８に記載の放射線知覚化装置。
【発明の詳細な説明】
【技術分野】
【０００１】
本発明は、線量率分布を簡便に、直感的、聴覚的、視覚的に把握することができる放射線知覚化装置に関する。
【背景技術】
【０００２】
除染現場や放射線施設、放射性廃棄物保管施設等およびその周辺で空間線量率分布を測定する際には、例えば、可搬型線量測定器などが用いられている。
【０００３】
このような可搬型の装置としては、特許文献１（特開２０１２−２４２１９２号公報）には、ＧＭ管式サーベイメータが開示されている。
【特許文献１】特開２０１２−２４２１９２号公報
【発明の概要】
【発明が解決しようとする課題】
【０００４】
従来の可搬型線量測定器で、所定のエリアの線量率分布を連続的に調査するような場合においては、作業員が手持ちの可搬型線量測定器により測定点のスキャンを行い、測定点を一点一点測定記録していく手間が必要となり、時間を要すると共に、労力も多大となってしまう、という問題があった。
【０００５】
このように、従来の可搬型線量測定器を用いると、線量率分布を簡便に、直感的、視覚的に把握することが困難である、という問題があった。
【課題を解決するための手段】
【０００６】
この発明は、上記課題を解決するものであって、請求項１に係る発明は、環境中の被測定対象物の放射線を検出するシンチレーションファイバーと、前記シンチレーションファイバーで発生した光信号を電気信号に変換・増幅する光電子増倍管と、前記光電子増倍管からの信号を電気信号に増幅するプリアンプと、前記プリアンプで増幅された電気信号を時間分解能向上のために信号波形前処理を行う信号波形前処理装置と、前記信号波形前処理装置からの信号を、スタート信号とストップ信号の時間間隔調整を行うディレイ装置と、前記ディレイ装置からの信号を、時間間隔を出力の大小に変換する入力時間差波高変換が行われる時間波高変換機と、前記時間波高変換機からの出力信号を、信号の強度に応じて分別する多重波高分析器と、前記多重波高分析器からの出力信号を聴覚化する聴覚部と、を備えた放射線知覚化装置において、前記聴覚部は、前記シンチレーションファイバーの長手方向と平行な第１方向に配された複数の発音部からなることを特徴とする。
【０００７】
また、請求項２に係る発明は、請求項１に記載の放射線知覚化装置において、検出された放射線の線量率に応じて、前記発音部の音量が制御されることを特徴とする。
【０００８】
また、請求項３に係る発明は、請求項１に記載の放射線知覚化装置において、検出された放射線の線量率に応じて、前記発音部の周波数が制御されることを特徴とする。
【０００９】
また、請求項４に係る発明は、請求項１乃至請求項３のいずれか１項に記載の放射線知覚化装置において、さらに、前記多重波高分析器からの出力信号を可視化する表示部と、を備え、前記表示部は、前記シンチレーションファイバーの長手方向と平行な第１方向に配された複数の発光部からなることを特徴とする。
【００１０】
また、請求項５に係る発明は、請求項４に記載の放射線知覚化装置において、検出され
た放射線の線量率に応じて、前記発光部の発光強度が制御されることを特徴とする。
【００１１】
また、請求項６に係る発明は、請求項４に記載の放射線知覚化装置において、検出された放射線の線量率に応じて、前記発光部の色が制御されることを特徴とする。
【００１２】
また、請求項７に係る発明は、請求項４に記載の放射線知覚化装置において、前記表示部は、前記シンチレーションファイバーの長手方向と平行な第１方向と、前記長手方向に対して垂直な第２方向とに、マトリクス状に配された複数の発光部からなる。
【００１３】
また、請求項８に係る発明は、請求項７に記載の放射線知覚化装置において、検出された放射線の位置に応じて、前記第１方向に配された前記発光部を発光させるか否かが制御されることを特徴とする。
【００１４】
また、請求項９に係る発明は、請求項７又は請求項８に記載の放射線知覚化装置において、
検出された放射線の線量率に応じて、前記第２方向に配された前記発光部を発光させるか否かが制御されることを特徴とする。
【発明の効果】
【００１５】
本発明に係る放射線知覚化装置は、シンチレーションファイバーの長手方向と平行な第１方向に配された複数の圧電ブザー（発音部）を備えているので、このような本発明に係る放射線知覚化装置によれば、線量率分布を簡便に、直感的、聴覚的に把握することが可能となる。
【００１６】
また、本発明に係る放射線知覚化装置によれば、線量率分布を簡便に、直感的、視覚的に把握することが可能となる。
【図面の簡単な説明】
【００１７】
【図１】本発明の実施形態に係る放射線知覚化装置１の概要を説明する図である。
【図２】本発明の実施形態に係る放射線知覚化装置１の測定原理を説明する図である。
【図３】本発明の実施形態に係る放射線知覚化装置１のシンチレーションファイバー束２０と表示部１００の関係を示す図である。
【図４】本発明の他の実施形態に係る放射線知覚化装置１の概要を説明する図である。
【図５】本発明の他の実施形態に係る放射線知覚化装置１のシンチレーションファイバー束２０と表示部１００の関係を示す図である。
【図６】本発明の他の実施形態に係る放射線知覚化装置１の概要を説明する図である。
【図７】本発明の他の実施形態に係る放射線知覚化装置１のシンチレーションファイバー束２０と聴覚部１３０の関係を示す図である。
【発明を実施するための形態】
【００１８】
以下、本発明の実施の形態を図面を参照しつつ説明する。図１は本発明の実施形態に係る放射線知覚化装置１の概略のブロック図である。
【００１９】
放射線知覚化装置１は、長手方向に一直線状をなすシンチレーションファイバー束２０と、このンチレーションファイバー束２０の長手方向に沿って設けられる表示部１００を有している。シンチレーションファイバー束２０の長手方向を、第１方向と定義する。図１におけるｘ方向が第１方向である。
【００２０】
シンチレーションファイバー束２０は、複数のシンチレーションファイバー１０が束ねられてなる。それぞれのシンチレーションファイバー１０で伝搬された光は、シンチレーションファイバー束２０の両端部に設けられている光電子増倍管３０、３０’に入射するようになっている。
【００２１】
ここで、シンチレーションファイバー１０による放射線測定の原理を説明する。図２は本発明の実施形態に係る放射線知覚化装置１の測定原理を説明する図である。
【００２２】
シンチレーションファイバー１０は、図２に示すように、通常の光ファイバーと同様、中心に位置するコア１１とそれを取り囲むクラッド１２とからなるが、コア１１に放射線に反応するプラスチックシンチレータを用いたものである。
【００２３】
発光原理は他のシンチレータと同様であり、放射線による励起作用によりシンチレーション光が発生する。放射線によりコア１１で発生した光は、通常の光ファイバーと同様に、コア１１とクラッド１２の境界での全反射によって、シンチレーションファイバー１０自身を光パイプ（ライトガイド）として伝播し、端部に位置する光電子増倍管３０、３０’に到達して検出される。
【００２４】
図２（Ａ）に示すように、コア１１の屈折率ｎ1は、クラッドの屈折率ｎ2よりも大きく設定されており（ｎ1  ＞ｎ2  ）、臨界角θC
θC ＝ｓｉｎ  -1（ｎ2  ／ｎ1  ）
に対して、コアからクラッドへの入射角θAが、θA＞θCであれば光は境界面で反射し、
コアからクラッドへの入射角θB  が、θB＜θCであれば光は外部に漏れる。従って、例
えば中心軸上の発光は、コア１１とクラッド１２による臨界角の円錐（図６（Ｂ）で、符号１４で示す）内に放出された光のみが全反射を繰り返して伝播し、ファイバーの両端部に設けられている光電子増倍管３０、３０’に到達することとなる。
【００２５】
上記のようなシンチレーションファイバー１０の束であるシンチレーションファイバー束２０に沿って設けられている表示部１００の詳細について説明する。図３は本発明の実施形態に係る放射線知覚化装置１のシンチレーションファイバー束２０と表示部１００の関係を示す図である。
【００２６】
図３においては、シンチレーションファイバー束２０及び表示部１００の一部を拡大して示している。
【００２７】
表示部１００は、シンチレーションファイバー束２０の長手方向と平行な第１方向（ｘ方向）と直線状に配された複数のＬＥＤユニット１１５を有している。このようなＬＥＤユニット１１５は基台１１０上に設けられており、発光制御部９０によって、その発光が制御される。
【００２８】
ＬＥＤユニット１１５としては、（ａ）単色で発光強度が可変であるもの、又は（ｂ）複数色の表示が可能であるもの、のいずれかを用いることができる。なお、このような表示部１００としては、ＬＥＤテープを用いることができる。
【００２９】
本実施形態では、第１方向（ｘ方向）にｍ個のＬＥＤユニット１１５が配されていることが想定されており、図３では、第１方向（ｘ方向）のｎ番目のＬＥＤユニット１１５の様子を示している。なお、ＬＥＤユニット１１５に代えて、他の発光手段を用いても構わない。なお、第１方向（ｘ方向）に配するＬＥＤユニット１１５の個数はシンチレーションファイバー束２０の長さにわたって設けるようすればよく、特に制限があるわけではな
い。
【００３０】
シンチレーションファイバー１０が、環境中の被測定対象物の放射線を検出すると、シンチレーションファイバー１０を伝搬して、シンチレーションファイバー１０の両端に設けられている光電子増倍管３０、３０’に到達する。
【００３１】
それぞれの光電子増倍管３０、３０’は、シンチレーションファイバー１０で発生した光信号を電気信号に変換・増幅する。プリアンプ４０、４０’は、光電子増倍管３０、３０’からの信号を電気信号に増幅する。
【００３２】
ＣＦＤ５０、５０’（「信号波形前処理装置」ともいう）は、プリアンプ４０、４０’で増幅された電気信号を時間分解能向上のために信号波形前処理を行う。
【００３３】
ディレイ装置６０は、ＣＦＤ５０、５０’からの信号は、スタート信号とストップ信号の時間間隔調整を行う。
【００３４】
ＴＡＣ７０（「時間波高変換機」ともいう）においては、ディレイ装置６０からの信号を、時間間隔を出力の大小に変換する入力時間差波高変換が行われる。
【００３５】
また、ＴＡＣ７０（「多重波高分析器」ともいう）からの出力信号を、信号の強度に応じて分別する。
【００３６】
ＴＡＣ７０からは、シンチレーションファイバー１０のどの位置に放射線が入射したかに係る検出位置情報と、その放射線の線量がどの程度であるかに係る放射線量率情報が出力され、発光制御部９０に入力される。
【００３７】
発光制御部９０は、検出された放射線の位置に応じて、第１方向（ｘ方向）に配されたＬＥＤユニット１１５を発光させるか否かを制御する。すなわち、表示部１００において、第１方向（ｘ方向）に配されたＬＥＤユニット１１５は、シンチレーションファイバー１０のどの位置に放射線が入射したかを示すインジケーターとなる。
【００３８】
ＬＥＤユニット１１５として、単色で発光強度が可変であるものが用いられている場合には、発光制御部９０は、検出された放射線の線量率に応じて、ＬＥＤユニット１１５の発光強度を制御する。すなわち、検出された放射線の線量率が高ければ高いほど、ＬＥＤユニット１１５の発光強度を強めるようにする。
【００３９】
一方、ＬＥＤユニット１１５として、複数色の表示が可能であるものが用いられている場合には、発光制御部９０は、検出された放射線の線量率に応じて、ＬＥＤユニット１１５の色を制御する。例えば、放射線の線量率を低中高の３段階で評価するような場合、低レベルのときにＬＥＤユニット１１５を「青」で発光させ、中レベルのときにはＬＥＤユニット１１５を「黄」で発光させ、高レベルのときにはＬＥＤユニット１１５を「赤」で発光させるような制御を行う。なお、線量率と色の組み合わせ方については、任意である。
【００４０】
このような発光制御部９０によるＬＥＤユニット１１５の発光制御について、図３を参照して説明する。図３のように、シンチレーションファイバー束２０中のシンチレーションファイバー１０のｘn（ｎ＝１〜ｍ）の区間に、放射線が入射した場合、本発明に係る
放射線知覚化装置１においては、第１方向（ｘ方向）においてはｎ番目のＬＥＤユニット１１５を発光させる。
【００４１】
そして、ＬＥＤユニット１１５として、単色で発光強度が可変であるものが用いられている場合には、ｎ番目のＬＥＤユニット１１５を、最も低い発光強度で発光させる。
【００４２】
また、ＬＥＤユニット１１５として、複数色の表示が可能であるものが用いられている場合には、先ほどの例で行くと、ＬＥＤユニット１１５を「青」で発光させる。
【００４３】
このように本発明に係る放射線知覚化装置１においては、シンチレーションファイバー束２０に沿って設けられる表示部１００によって、どの位置が、どの程度の線量率であるかを示すことができる。
【００４４】
以上、本発明に係る放射線知覚化装置１は、シンチレーションファイバー１０の長手方向と平行な第１方向に配された複数の発光部（ＬＥＤユニット１１５）を備えているので、このような本発明に係る放射線知覚化装置１によれば、線量率分布を簡便に、直感的、視覚的に把握することが可能となる。
【００４５】
次に、本発明の他の実施形態について説明する。図４は本発明の他の実施形態に係る放射線知覚化装置１の概略のブロック図である。
【００４６】
放射線知覚化装置１は、長手方向に一直線状をなすシンチレーションファイバー束２０と、このンチレーションファイバー束２０の長手方向に沿って設けられる表示部１００を有している。シンチレーションファイバー束２０の長手方向を、第１方向、また手方向に対して垂直な方向を、第２方向と定義する。図４におけるｘ方向が第１方向で、ｙ方向が第２方向である。
【００４７】
シンチレーションファイバー束２０は、複数のシンチレーションファイバー１０が束ねられてなる。それぞれのシンチレーションファイバー１０で伝搬された光は、シンチレーションファイバー束２０の両端部に設けられている光電子増倍管３０、３０’に入射するようになっている。
【００４８】
ここで、シンチレーションファイバー１０による放射線測定の原理については、先の実施形態と同様である。
【００４９】
上記のようなシンチレーションファイバー１０の束であるシンチレーションファイバー束２０に沿って設けられている表示部１００の詳細について説明する。図５は他の本発明の実施形態に係る放射線知覚化装置１のシンチレーションファイバー束２０と表示部１００の関係を示す図である。
【００５０】
図５においては、シンチレーションファイバー束２０及び表示部１００の一部を拡大して示している。
【００５１】
表示部１００は、シンチレーションファイバー束２０の長手方向と平行な第１方向（ｘ方向）と、前記長手方向（ｘ方向）に対して垂直な第２方向（ｙ方向）とに、マトリクス状に配された複数のＬＥＤ１２０を有している。このようなＬＥＤ１２０は基台１１０上に設けられており、発光制御部９０によって、その発光が制御される。
【００５２】
本実施形態では、第１方向（ｘ方向）にｍ個のＬＥＤ１２０が、また、第２方向（ｙ方向）に８個のＬＥＤ１２０が配されていることが想定されており、図５では、第１方向（ｘ方向）のｎ番目のＬＥＤ１２０の様子を示している。なお、ＬＥＤ１２０に代えて、他の発光手段を用いても構わない。なお、第１方向（ｘ方向）に配するＬＥＤ１２０の個数はシンチレーションファイバー束２０の長さにわたって設けるようすればよく、特に制限
があるわけではない。
【００５３】
また、第２方向（ｙ方向）に配するＬＥＤ１２０は、線量率の高低を示すものとなるので、第２方向（ｙ方向）に配するＬＥＤ１２０の個数は、２個以上であることが好ましい。
【００５４】
シンチレーションファイバー１０が、環境中の被測定対象物の放射線を検出すると、シンチレーションファイバー１０を伝搬して、シンチレーションファイバー１０の両端に設けられている光電子増倍管３０、３０’に到達する。
【００５５】
それぞれの光電子増倍管３０、３０’は、シンチレーションファイバー１０で発生した光信号を電気信号に変換・増幅する。プリアンプ４０、４０’は、光電子増倍管３０、３０’からの信号を電気信号に増幅する。
【００５６】
ＣＦＤ５０、５０’（「信号波形前処理装置」ともいう）は、プリアンプ４０、４０’で増幅された電気信号を時間分解能向上のために信号波形前処理を行う。
【００５７】
ディレイ装置６０は、ＣＦＤ５０、５０’からの信号は、スタート信号とストップ信号の時間間隔調整を行う。
【００５８】
ＴＡＣ７０（「時間波高変換機」ともいう）においては、ディレイ装置６０からの信号を、時間間隔を出力の大小に変換する入力時間差波高変換が行われる。
【００５９】
また、ＴＡＣ７０（「多重波高分析器」ともいう）からの出力信号を、信号の強度に応じて分別する。
【００６０】
ＴＡＣ７０からは、シンチレーションファイバー１０のどの位置に放射線が入射したかに係る検出位置情報と、その放射線の線量がどの程度であるかに係る放射線量率情報が出力され、発光制御部９０に入力される。
【００６１】
発光制御部９０は、検出された放射線の位置に応じて、第１方向（ｘ方向）に配されたＬＥＤ１２０を発光させるか否かを制御する。すなわち、表示部１００において、第１方向（ｘ方向）に配されたＬＥＤ１２０は、シンチレーションファイバー１０のどの位置に放射線が入射したかを示すインジケーターとなる。
【００６２】
また、発光制御部９０は、検出された放射線の線量率に応じて、第２方向（ｙ方向）に配されたＬＥＤ１２０を発光させるか否かを制御する。すなわち、表示部１００において、第２方向（ｙ方向））に配されたＬＥＤ１２０は、シンチレーションファイバー１０にどの程度の線量率の放射線が入射したかを示すインジケーターとなる。本実施形態では、第２方向（ｙ方向）に配されているＬＥＤ１２０が８個であるため、８段階の線量率の高低を報知することが可能となる。
【００６３】
このような発光制御部９０によるＬＥＤ１２０の発光制御について、図５を参照して説明する。図５のように、シンチレーションファイバー束２０中のシンチレーションファイバー１０のｘn（ｎ＝１〜ｍ）の区間に、８段階の線量率のうち最も低い線量率の放射線
が入射した場合、本発明に係る放射線知覚化装置１においては、第１方向（ｘ方向）においてはｎ番目で、第２方向（ｙ方向）においては１個目のＬＥＤ１２０が点灯するような発光制御がなされる。
【００６４】
このように本発明に係る放射線知覚化装置１においては、シンチレーションファイバー
束２０に沿って設けられる表示部１００によって、どの位置が、どの程度の線量率であるかを示すことができる。
【００６５】
以上のような他の実施形態に係る放射線知覚化装置１は、シンチレーションファイバー１０の長手方向と平行な第１方向と、前記長手方向に対して垂直な第２方向とに、マトリクス状に配された複数の発光部（ＬＥＤ１２０）を備えているので、このような他の実施形態に係る放射線知覚化装置１によれば、線量率分布を簡便に、直感的、視覚的に把握することが可能となる。
【００６６】
次に、本発明の他の実施形態について説明する。図６は本発明の他の実施形態に係る放射線知覚化装置１の概略のブロック図である。
【００６７】
これまで、説明した第１実施形態と、第２実施形態においては、線量率分布を知覚化する際においては、ＬＥＤユニット１１５などによって視覚化を行うものであった。これに対して、以下で説明する第３実施形態においては、線量率分布を知覚化する際においては、圧電ブザーや、圧電スピーカーといった発音部によって、聴覚化を行うものである。
【００６８】
放射線知覚化装置１は、長手方向に一直線状をなすシンチレーションファイバー束２０と、このンチレーションファイバー束２０の長手方向に沿って設けられる聴覚部１３０を有している。シンチレーションファイバー束２０の長手方向を、第１方向と定義する。図６におけるｘ方向が第１方向である。
【００６９】
シンチレーションファイバー束２０は、複数のシンチレーションファイバー１０が束ねられてなる。それぞれのシンチレーションファイバー１０で伝搬された光は、シンチレーションファイバー束２０の両端部に設けられている光電子増倍管３０、３０’に入射するようになっている。
【００７０】
ここで、シンチレーションファイバー１０による放射線測定の原理については、先の実施形態と同様である。
【００７１】
上記のようなシンチレーションファイバー１０の束であるシンチレーションファイバー束２０に沿って設けられている聴覚部１３０の詳細について説明する。図７は本発明の実施形態に係る放射線知覚化装置１のシンチレーションファイバー束２０と聴覚部１３０の関係を示す図である。
【００７２】
図７においては、シンチレーションファイバー束２０及び聴覚部１３０の一部を拡大して示している。
【００７３】
聴覚部１３０は、シンチレーションファイバー束２０の長手方向と平行な第１方向（ｘ方向）と直線状に配された複数の圧電ブザー１５０を有している。このような圧電ブザー１５０は基台１４０上に設けられており、発音制御部９５によって、その発音が制御される。
【００７４】
なお、本実施形態においては、発音部として、圧電ブザー１５０が用いられているが、その他圧電ブザーなど、任意の発音体を用いることができる。
【００７５】
本実施形態では、第１方向（ｘ方向）にｍ個の圧電ブザー１５０が配されていることが想定されており、図７では、第１方向（ｘ方向）のｎ番目の圧電ブザー１５０の様子を示している。なお、第１方向（ｘ方向）に配する圧電ブザー１５０の個数はシンチレーションファイバー束２０の長さにわたって設けるようすればよく、特に制限があるわけではな
い。
【００７６】
シンチレーションファイバー１０が、環境中の被測定対象物の放射線を検出すると、シンチレーションファイバー１０を伝搬して、シンチレーションファイバー１０の両端に設けられている光電子増倍管３０、３０’に到達する。
【００７７】
それぞれの光電子増倍管３０、３０’は、シンチレーションファイバー１０で発生した光信号を電気信号に変換・増幅する。プリアンプ４０、４０’は、光電子増倍管３０、３０’からの信号を電気信号に増幅する。
【００７８】
ＣＦＤ５０、５０’（「信号波形前処理装置」ともいう）は、プリアンプ４０、４０’で増幅された電気信号を時間分解能向上のために信号波形前処理を行う。
【００７９】
ディレイ装置６０は、ＣＦＤ５０、５０’からの信号は、スタート信号とストップ信号の時間間隔調整を行う。
【００８０】
ＴＡＣ７０（「時間波高変換機」ともいう）においては、ディレイ装置６０からの信号を、時間間隔を出力の大小に変換する入力時間差波高変換が行われる。
【００８１】
また、ＴＡＣ７０（「多重波高分析器」ともいう）からの出力信号を、信号の強度に応じて分別する。
【００８２】
ＴＡＣ７０からは、シンチレーションファイバー１０のどの位置に放射線が入射したかに係る検出位置情報と、その放射線の線量がどの程度であるかに係る放射線量率情報が出力され、発音制御部９５に入力される。
【００８３】
発音制御部９５は、検出された放射線の位置に応じて、第１方向（ｘ方向）に配された圧電ブザー１５０を発音させるか否かを制御する。すなわち、聴覚部１３０において、第１方向（ｘ方向）に配された圧電ブザー１５０は、シンチレーションファイバー１０のどの位置に放射線が入射したかを示す報知手段となる。
【００８４】
また、発音制御部９５は、検出された放射線の線量率に応じて、圧電ブザー１５０の音量を制御することもできる。すなわち、検出された放射線の線量率が高ければ高いほど、圧電ブザー１５０の音量を大きくする。
【００８５】
また、発音制御部９５は、検出された放射線の線量率に応じて、圧電ブザー１５０の周波数を制御することもできる。例えば、検出された放射線の線量率が高ければ高いほど、圧電ブザー１５０の周波数を高くする。
【００８６】
このような発音制御部９５による圧電ブザー１５０の発音制御について、図７を参照して説明する。図７のように、シンチレーションファイバー束２０中のシンチレーションファイバー１０のｘn（ｎ＝１〜ｍ）の区間に、放射線が入射した場合、本発明に係る放射
線知覚化装置１においては、第１方向（ｘ方向）においてはｎ番目の圧電ブザー１５０を発音させる。
【００８７】
また、発音制御部９５で圧電ブザー１５０の音量を制御するモードが設定されている場合には、発音制御部９５は放射線の線量率に応じて、ｎ番目の圧電ブザー１５０の音量を制御する。
【００８８】
また、発音制御部９５で圧電ブザー１５０の周波数を制御するモードが設定されている
場合には、発音制御部９５は放射線の線量率に応じて、ｎ番目の圧電ブザー１５０の周波数を制御する。
【００８９】
このように本発明に係る放射線知覚化装置１においては、シンチレーションファイバー束２０に沿って設けられる聴覚部１３０によって、どの位置が、どの程度の線量率であるかを示すことができる。
【００９０】
以上、本発明に係る放射線知覚化装置１は、シンチレーションファイバー１０の長手方向と平行な第１方向に配された複数の発音部（圧電ブザー１５０）を備えているので、このような本発明に係る放射線知覚化装置１によれば、線量率分布を簡便に、直感的、聴覚的に把握することが可能となる。
【００９１】
また、本発明に係る放射線知覚化装置１によれば、ライン上の線量率分布を測定位置その場の警報を鳴らすことにより、線量率の強弱が誰にでも瞬時に聴覚的に確認でき、安全確保と危険告知を周囲の作業員に容易伝えることができる。また、除染等のモニタリングでも瞬時に場所の特定が可能となり、除染必要箇所の迅速で正確な発見ができる。ディスプレイでの線量率位置分布の確認や測定位置での対象場所を確認するといった間接的な手間がなくなり、場所特定の煩雑さや間違いが格段に減る。
【００９２】
特に、事故由来廃棄物の処理処分施設およびその保管施設は、可動中において搬入搬出仕分けなどにより、時々刻々と線量率分布が変動する。そのため、敷地境界、放射線管理区域境界、管理区域内の立ち入り禁止区域境界等、多くの地点で線量率の常時監視が必要であり、作業現場にいる作業員がその場の線量率を瞬時に把握することは、労働安全及び環境安全の管理に非常に有効となる。
【００９３】
なお、本明細書においては、第１乃至第３実施形態に係る放射線知覚化装置１をそれぞれ独立的に説明してきたが、例えば、線量率分布を視覚化するためにＬＥＤユニット１１５を用いた第１実施形態と、線量率分布を聴覚化するために圧電ブザー１５０を用いた第３実施形態と、を組み合わせた実施形態により、線量率分布を視覚化、聴覚化することも可能である。
【００９４】
このように、第１乃至第３実施形態に係る放射線知覚化装置１は、適宜任意に組み合わせて一つの実施形態とすることが可能であり、このような組み合わせによって派生する放射線知覚化装置１についても本発明の範疇の中に存するものである。
【符号の説明】
【００９５】
１・・・放射線知覚化装置
１０・・・シンチレーションファイバー
１１・・・コア
１２・・・クラッド
１４・・・円錐
２０・・・シンチレーションファイバー束
３０、３０’・・・光電子増倍管
４０、４０’・・・プリアンプ
５０、５０’・・・ＣＦＤ（信号波形前処理装置）
６０・・・ディレイ装置
７０・・・ＴＡＣ（時間波高変換機）
８０・・・ＭＣＡ（多重波高分析器）
９０・・・発光制御部
９５・・・発音制御部
１００・・・表示部
１１０・・・基台
１１５・・・ＬＥＤ（発光ダイオード）ユニット
１２０・・・ＬＥＤ（発光ダイオード）
１３０・・・聴覚部
１４０・・・基台
１５０・・・圧電ブザー（発音部）
【図１】
2015206780.tif 000003
【図２】
2015206780.tif 000004
【図３】
2015206780.tif 000005
【図４】
2015206780.tif 000006
【図５】
2015206780.tif 000007
【図６】
2015206780.tif 000008
【図７】
2015206780.tif 000009